(57)【特許請求の範囲】
【請求項１】
シートを枠体に緊張状態で展張するための装置であって、枠体に取り付けられる支持部材と、シートの端部を収容するための溝を備えた収容部材と、前記溝にシート端部が巻きつけられた状態ではまり込んで、この端部を溝に固定させるはめ込み部材と、前記支持部材に対する収容部材の位置を調整することでシートに所定の張力を付与するとともにシートの張力にもとづいてはめ込み部材をシートの端部とともに溝の中に押し込む張力付与手段とを備え、前記はめ込み部材に突起が設けられ、前記収容部材に弾性舌片が設けられ、この弾性舌片は、前記溝にシート端部が巻き付けられた状態ではめ込み部材をはめ込むときに、このはめ込み部材の突起によって押しのけられるものであるとともに、はめ込み部材が溝にはめ込まれたときに、前記押しのけ状態から元の状態に復帰して、展張装置の使用時に、はめ込み部材から力が作用しない状態となり、前記シートと突起とを溝の開口側に向けて動かないように位置規制するものであることを特徴とするシートの展張装置。
【発明の詳細な説明】
【技術分野】
【０００１】
本発明はシートの展張装置に関し、特に内照明看板やオーニングやその他のシートを枠体に緊張状態で固定するためのシートの展張装置に関する。
【背景技術】
【０００２】
看板や装飾テント等に使用される軟質シートを枠に緊張状態で展張するための構成として、従来一般的に実施されてきたものは、シートの縁部を折り返し縫製し、折り返し部に鳩目を設け、これにロープを通して枠に固定するものである。また、シートの縁部を多数の掴み具により把持し、これをねじ機構により枠に取り付け締め上げて緊張状態を得る方法も採用されつつある。しかし、これらの方法は予めシートの縁部に縫製等の加工を必要するか、シ−トと掴み具の結合に煩雑な作業を必要とする。これらの問題点を解決する試みとして、種々の展張金具が提案されており、その一例として特許文献１に記載されたものがある。
【０００３】
図６は、枠体１に軟質樹脂製の半透明のシート２が緊張状態で展張されることで、内照明看板を構成した例を示す。３は、長方形状の枠体１の四辺を構成する額縁部である。図７に示すように、シート２は、その端部が展張装置４によって枠体１に取り付けられている。図示のように、長方形状の枠体１の四辺を構成する額縁部３の裏側の部分に、枠体１の四辺に沿って複数の展張装置４が設けられている。
【０００４】
図８は、各展張装置４の詳細な構造であって特許文献１に記載されたものを示す。枠体１はアングル材にて構成されており、大アングル材１１によって枠体１の本体が構成され、小アングル材１２によって展張装置４のための取付辺１３が構成されている。
【０００５】
展張装置４において、１４は支持部材であり、アルミニウム押出し成形品によって構成されている。この支持部材１４は、枠体１の小アングル材１２の取付辺１３に被さることができるフック形状の被さり部１５と、枠体１よりも前方へ突出するボルト支持部１６と、ガイド部１７とが、一体に形成された構成である。ガイド部１７は、小アングル材１２の取付辺１３に沿って配置されるように構成されている。ボルト支持部１６には、ボルト１８を通すための孔部１９が形成されている。
【０００６】
展張装置４において、２１は収容部材で、アルミニウム押出し成形品によって構成されている。この収容部材２１は、矩形断面の溝２２と、ボルト１８がねじ合わされるボルトねじ合わせ部２３と、支持部材１４のガイド部１７に沿うように配置された被ガイド部２４とが、一体に形成された構成である。
【０００７】
展張装置４において、２６は、はめ込み部材で、同様にアルミニウム押出し成形品によって構成されている。図８の紙面と垂直な方向に沿った、支持部材１４と収容部材２１とはめ込み部材２６との寸法について説明する。図７に簡単に示すように、支持部材１４と収容部材２１とは、例えば同方向の寸法が数センチメートル程度の大きさとなるように構成されている。これに対しはめ込み部材２６は、同方向の寸法が、支持部材１４や収容部材２１の寸法よりも大きくなるように、たとえば１０センチメートル以上の大きさとなるように構成されている。
【０００８】
はめ込み部材２６は、横断面Ｌ字形に形成され。図示のようにシート２の端部５を巻き付けた状態で、このシート２の端部５とともに溝２２に固くはめ込まれることで、このシート２の端部５を収容部材２１に固定可能である。２７はＬ字形のはめ込み部材２６の一辺で、この一辺２７が溝２２にはめ込まれる。２８はＬ字形のはめ込み部材２６の他辺で、一辺２７が溝２２にはめ込まれたときに、収容部材２１における溝２２を形成した部分の縁部２９に重なるように構成されている。
【０００９】
一辺２７は、断面Ｖ字形に形成されて、厚肉の本体部３１と、本体部３１よりも薄肉の弾性体部３２とが一体に形成された構成である。そして、一辺２７が溝２２にはめ込まれたときに、本体部３１と弾性体部３２とを接続した部分が溝２２の底部側に位置するとともに、本体部３１と弾性体部３２とが離れて開いた部分が溝２２の浅い部分に位置するように構成されている。
【００１０】
このような構成において、シート２の端部５を巻き付けた状態ではめ込み部材２６の一辺２７が収容部材２１の溝２２にはめ込まれると、それによってＶ字が閉じる方向に弾性体部３２が変形されることにより、この弾性体部３２によってシート２の端部５が溝２２の内面に強く押し付けられて、確実に固定される。またこのような固定状態においては、はめ込み部材２６の一辺２７が断面Ｖ字形に形成されていることで、その弾性体部３２が、一辺２７が溝２２から抜け出すのを阻止する方向に溝２２の内面を押すことになり、これによっても確実な固定状態を保つことができる。また、はめ込み部材２６の他辺２８が収容部材２１の縁部２９との間にシート２の端部５を挟み込むことになり、これによって、一層確実な固定状態が保たれる。
【００１１】
ボルト１８はシート２の面の方向に設けられている。このため、ボルト１８を操作して、収容部材２１を、枠体１の小アングル材１２の取付辺１３に引っ掛かるように被さった支持部材１４のボルト支持部１６に近づける方向に移動させることで、シート２に張力を付与してこのシート２を緊張させることができる。このとき、シート２の張力にもとづき、はめ込み部材２６がシート２の端部５とともに溝２２の中に押し込まれるとともに、はめ込み部材２６の他辺２８と収容部材２１の縁部２９との間にシート２の端部５が挟み込まれることになり、これによってシート２が緊張状態で確実に展張装置４に保持され、その結果、シート２における緩みの発生が効果的に防止される。
【００１２】
反対に、ボルト１８を操作して収容部材２１をボルト支持部１６から遠ざける方向に移動させることで、シート２の張力を弛緩させることができる。
【００１３】
このとき、収容部材２１の被ガイド部２４が支持部材１４のガイド部１７に沿って、たとえば摺動することで、収容部材２１の移動を円滑に行わせることが可能である。
【００１４】
図８に示すように展張装置４は板材にて形成された額縁部３によって覆われており、よって図６に示すように展張装置４は看板の外観には現れない。
【特許文献１】特開平６−５１７０４号公報
【発明の開示】
【発明が解決しようとする課題】
【００１５】
しかし、図８に示した構成では、次のような課題がある。すなわち、はめ込み部材の一辺２７の弾性体部３２は、いくら弾性を有するものであっても、溝２２に押し込まれることによって若干の塑性変形が生じる。そうすると、溝２２の内面への押し付け力が低下しやすくなる。
【００１６】
また、シート２を展張するときには、複数の展張装置４を操作しなければならないが、いくつかの展張装置４においては、ボルト１８の操作だけではシート２をうまく展張させることができない場合がある。そのときには、はめ込み部材２６をシート２の端部５とともに溝２２から取り出して、シート２におけるはめ込み部材２６への巻き付け位置を変更したうえで、再度のはめ込みを行うことが必要になる。このような再度のはめ込みは、調整が完了するまでの間に何回も行われることが多い。すると、弾性体部３２に繰り返し変形力が作用することになり、それによっても塑性変形が生じやすい。
【００１７】
さらに、シート２の端部５がはめ込み部材２６に巻き付けられているため、シート２が展張されると、その展張力によって、シート２がはめ込み部材２６を締め付けるように作用する。すると、それによっても弾性体部３２に変形が生じやすい。
【００１８】
このように弾性体部３２に変形が生じると、シート２の端部５を保持する力が低下して、シート２に緩みが生じる原因となりやすく、その場合は、はめ込み部材２６の交換が必要になるという課題がある。
【００１９】
また、はめ込み部材２６の一辺２７は断面Ｖ字形に形成されているため、このＶ字の頂点の部分が溝２２の底部において横方向に移動しやすい。そして、このような移動が起こると、シート２に展張力が作用しているために、はめ込み部材２６の他辺２８が収容部材２１の縁部２９から浮き上がりやすく、この浮き上がりによって、他辺２８と縁部２９とによるシート２の端部５の挟み込み力が低下して、シート２に緩みが生じるおそれがある。
【００２０】
そこで本発明は、このような課題を解決して、展張装置によってシートを確実に緊張させることができるようにすることを目的とする。
【課題を解決するための手段】
【００２１】
この目的を達成するために、本発明の、シートを枠体に緊張状態で展張するための装置は、枠体に取り付けられる支持部材と、シートの端部を収容するための溝を備えた収容部材と、前記溝にシート端部が巻きつけられた状態ではまり込んで、この端部を溝に固定させるはめ込み部材と、前記支持部材に対する収容部材の位置を調整することでシートに所定の張力を付与するとともにシートの張力にもとづいてはめ込み部材をシートの端部とともに溝の中に押し込む張力付与手段とを備え、前記はめ込み部材に突起が設けられ、前記収容部材に弾性舌片が設けられ、この弾性舌片は、前記溝にシート端部が巻き付けられた状態ではめ込み部材をはめ込むときに、このはめ込み部材の突起によって押しのけられるものであるとともに、はめ込み部材が溝にはめ込まれたときに、前記押しのけ状態から元の状態に復帰して、展張装置の使用時に、はめ込み部材から力が作用しない状態となり、前記シートと突起とを溝の開口側に向けて動かないように位置規制するものであることを特徴とする。
【発明の効果】
【００２２】
このような構成であると、弾性舌片は、はめ込み部材を溝の内面に押し付けるものではなく、はめ込み部材が溝にはめ込まれた後は元の状態に復帰して変形していない状態になるため、展張装置の使用時に常に変形が生じていることがなく、したがって押し付け力の低下に基づいてシートに緩みが発生することがないという利点がある。
【００２３】
シートの展張状態を調整するためにはめ込み部材を繰り返し溝に出し入れすることが必要な場合でも、弾性舌片は突起の通過時に弾性変形するだけであるため、塑性変形が生じるようなことがなく、したがって繰り返し使用に耐えることができる。
【００２４】
シートの端部をはめ込み部材に巻き付けた状態で溝にはめ込んでも、弾性舌片がはめ込み部材に形成されていないため、この弾性舌片にはシートの巻き付け力が作用しない。このため、シートにより弾性舌片に変形が生じることがないという利点がある。
【００２５】
はめ込み部材には弾性体部が設けられておらず、したがってはめ込み部材をＶ字形に形成する必要が無いため、Ｖ字の頂部が溝内で横方向に移動することによるシートの緩みの発生を防止することができる。
【００２６】
よつて、弾性舌片に弾性力の低下が生じることがなく、それに基づく部材の交換の必要がないという利点もある。
【発明を実施するための最良の形態】
【００２７】
以下、本発明の実施の形態の展張装置を、図１〜図５にもとづき、図６〜図８に示したものと同一の部材には同一の参照番号を付して、詳細に説明する。
図１〜図５において、収容部材２１の溝２２におけるシート２の展張面から遠い方の内面に対応した位置には、弾性舌片４１が一体に形成されている。この弾性舌片４１は、溝２２よりも外方の位置から溝底の方に向かうように形成された本体部４２と、この本体部４２の先端から、溝２２におけるシート２の展張面に近い方の内面に向かう方向に形成された先端引掛り部４３とを一体に有した構成である。
【００２８】
はめ込み部材２６の一辺２７は、溝２２の断面形状に合わせて断面矩形状に形成されている。そしてはめ込み部材２６の一辺２７には、このはめ込み部材２６が溝２２にはめ込まれたときに弾性舌片４１に対応することになる位置に、突起４４が形成されている。突起４４における溝底側の面は、溝底側に向かうにつれて徐々に高さが低くなる傾斜面４５として形成されている。これに対し、突起４４における溝開口側の面は、溝２２の開口側を向いた端面４６として形成されている。
【００２９】
図２に詳細に示すように、はめ込み部材２６において、シート２の展張面に近い方の溝内面に向かい合う面と、収容部材２１の縁部２９に向かい合う面とには、このはめ込み部材２６と収容部材２１との間にシート２を挟み込んだときのシート２のずれを防止するための微小な凹凸４７が形成されている。
【００３０】
このような構成において、シート２を展張するときには、図３（ａ）に示すように、シート２の端部５をはめ込み部材２６に沿わせ、図３（ｂ）に示すようにシート２をはめ込み部材に巻き付けた状態で、このはめ込み部材２６を収容部材２１の溝２２にはめ込む。はめ込み部材２６が溝２２の内部にある程度の深さまではまり込むと、突起４４と、シート２における突起４４に被さった部分とが、弾性舌片４１の先端引掛り部４３に接近する。
【００３１】
そこで、図３（ｃ）に示すように、プライヤーなどの適当な工具４８を用い、収容部材２１とはめ込み部材２６とを挟み込んで、はめ込み部材２６が溝２２に入り込む方向に力を作用させる。すると、はめ込み部材２６の突起４４の傾斜面４５とその部分のシート２とが、弾性舌片４１の先端引掛り部４３を介してこの弾性舌片４１を押しのけるように作用する。すなわち、弾性舌片４１は、弾性的に変形することで、突起４４を備えたはめ込み部材２６が溝２２の奥側に向けて移動し溝２２に押し込み状態ではまり込むことを許容する。その後は、弾性舌片４１は、元の変形していない状態に復帰する。
【００３２】
このとき、突起４４が先端引掛り部４３の位置を通過すると、そのときの音や手応えなどによって、溝２２へのはめ込み部材２６のはめ込み作業が完了したことを、作業者が感覚的に知ることができる。
【００３３】
図１および図２は、このようにしてはめ込み部材２６がシート２の端部５とともに溝２２に押し込まれて保持された状態を示す。この状態で、弾性舌片４１は、シート２と突起４４すなわちはめ込み部材２６とが溝２２の開口側に向けて動かないように位置規制する。つまり、はめ込み部材２６に溝２２からの抜け出し力が作用すると、突起４４の端面４６がシート２を介して弾性舌片４１の先端掛り部４３を押圧することになるため、その抜け出しが防止される。
【００３４】
図１に示す張力付与手段としてのボルト１８を操作してシート２を展張させるときには、はめ込み部材２６はシート２の張力によって溝２２の奥側へ押し込まれ、これによって、シート２が確実に保持される。このとき、弾性舌片４１には、はめ込み部材２６から大きな力が作用することがない。
【００３５】
図４は、図１および図２に示す展張装置４の使用例を示すものである。
【００３６】
図５に示すように、シート２が薄肉である場合は、その先端部５の必要箇所を二重やそれ以上の多重に折り畳んだ状態で、はめ込み部材２６の一辺２７とともに溝２２にはめ込むことができる。このようにすると、シート２が薄肉の場合であっても、溝２２と、はめ込み部材２６およびシート２との間に隙間が生じて、はめ込み部材２６に傾きが生じ、それによりはめ込み部材２６の他辺２８が収容部材２１の縁部２９から浮き上がってシート２の端部５を挟み付ける力が低下するような事態の発生を、確実に防止することができる。
【００３７】
以上のように、弾性舌片４１は、展張装置４の使用時に常に変形が生じていることがなく、したがって、その機能低下に基づいてシート２に緩みが発生することがないという利点がある。
【００３８】
シート２の展張状態を調整するために、はめ込み部材２６を繰り返し溝２２に出し入れすることが必要な場合でも、弾性舌片４１は突起４４の通過時に弾性変形するだけであるため、塑性変形が生じるようなことがなく、したがって繰り返し使用に耐えることができる。なお、図１および図２に示す状態からはめ込み部材２６およびシート２を溝２２から取り出すときには、はめ込み部材２６と収容部材２１とを図１および図２の紙面に垂直な方向に相対的に変位させればよい。すなわち、はめ込み部材２６と収容部材２１とを互いに横方向にスライドさせて、溝２２からの取り出しを行えばよい。
【００３９】
また弾性舌片４１にはシート２の巻き付け力が作用しないため、その巻き付け力によって弾性舌片４１に変形が生じることがないという利点もある。
【００４０】
よって、弾性舌片４１に弾性力の低下が生じることがなく、それに基づく部材の交換を不要にすることもできる。
【００４１】
また、はめ込み部材２６の一辺２７は断面矩形状に形成されており、したがって溝２２にきっちりとはまり込むことが可能で、溝２２の内部で横方向に移動して傾くようなことがない。このため、はめ込み部材２６の他辺２８が収容部材２１の縁部２９から浮き上がることがなく、このような浮き上がりの発生にもとづくシート２の緩みの発生を防止することができる。
【００４２】
なお、枠体１や、支持部材１４や、収容部材２１や、はめ込み部材２６の材質は、適宜に選定することができる。たとえば、上述したアルミニウムに代えて、硬質の樹脂などを用いることも可能である。
【図面の簡単な説明】
【００４３】
【図１】本発明の実施の形態のシートの展張装置の断面図である。
【図２】図１のシートの展張装置の要部の拡大図である。
【図３】図１の展張装置にシートを固定する方法を示す図である。
【図４】図１のシートの展張装置の使用例を示す図である。
【図５】図１のシートの展張装置の変形例を示す図である。
【図６】本発明のシートの展張装置を用いることが可能な内照明看板の外観図である。
【図７】同看板の内部構造を示す図である。
【図８】従来のシートの展張装置の断面図である。
【符号の説明】
【００４４】
１    枠体
２    シート
５    端部
１４    支持部材
１８    ボルト
２１    収容部材
２２    溝
２６    はめ込み部材
４１    弾性舌片
４４    突起
【図１】
0004931743.tif 000002
【図２】
0004931743.tif 000003
【図３】
0004931743.tif 000004
【図４】
0004931743.tif 000005
【図５】
0004931743.tif 000006
【図６】
0004931743.tif 000007
【図７】
0004931743.tif 000008
【図８】
0004931743.tif 000009